(57)【要約】【課題】従来例では、花瓶等の実用品や装飾品、置き物等の用途に使用する場合に、デザインの単調さを解消することができず、製品の付加価値を高め、より高級感のあるガラス製装飾品を得るためには今一歩、進んだアイデアが望まれていた。【解決手段】筒状のガラス素材に開口部を形成し、さらにその開口部から所定の長さのスリットを複数形成して複数の短冊片を形成した上、当該筒状のガラス素材を加熱して軟化させ、かつ上記短冊片の端部を融着させて連結することによりスリット部分を複数の窓とし、筒状のガラス素材の開口部のみならずこの窓をも生花等を生けるために使用できるようにしたことを特徴とする筒状のガラス素材を用いたガラス製装飾品。【選択図】　　　　　図１
2004083331.tif 000002
【特許請求の範囲】
【請求項１】
筒状のガラス素材に開口部を形成し、さらにその開口部から所定の長さのスリットを複数形成して複数の短冊片を形成した上、当該筒状のガラス素材を加熱して軟化させ、かつ上記短冊片の端部を融着させて連結することによりスリット部分を複数の窓とし、筒状のガラス素材の開口部のみならずこの窓をも生花等を生けるために使用できるようにしたことを特徴とする筒状のガラス素材を用いたガラス製装飾品。
【請求項２】
筒状のガラス素材の短冊片の端部の融着部分が、筒状のガラス素材を吊り下げた状態で加熱して軟化させることにより、筒状のガラス素材のスリット間の短冊片が自重で垂下した際、短冊片の先端を結束してその端部を連結したものである請求項１に記載の筒状のガラス素材を用いたガラス製装飾品。
【請求項３】
筒状のガラス素材の短冊片の端部の融着部分が、筒状のガラス素材を吊り下げた状態で加熱して軟化させることにより、筒状のガラス素材のスリット間の短冊片が自重で垂下した際、短冊片の先端を結束してその端部を連結し、かつ再度加熱軟化させたものである請求項２に記載の筒状のガラス素材を用いたガラス製装飾品。
【請求項４】
筒状のガラス素材の短冊片が自重で垂下した際に細径化して、スリット部分を広げるように機能させることを含む請求項１ないし３のいずれかに記載の筒状のガラス素材を用いたガラス製装飾品。
【発明の詳細な説明】
【０００１】
【発明の属する技術分野】この発明は例えば使用済みの空き瓶を利用して、種々の形態の花器や容器、置き物等の種々の用途に利用するものであり、しかも廃棄物となる空き瓶を加工して再利用できるようにしたので、資源の活用にも非常に有効で、かつ付加価値を高めることのできる筒状のガラス素材を用いたガラス製装飾品に関するものである。
【０００２】
【従来の技術】従来、例えば使用済みの空き瓶を利用して、種々の形態の花瓶その他の花器や置き物等に利用しようとする試みとしては、特開昭５３−２１３号公報や特公平２−１７４９２号公報に記載された発明が公知である。そしてこれらの発明は、いずれも空き瓶等からなる各種の筒状のガラス素材を加熱して軟化させた状態で曲げ加工等によって変形させたり（特開昭５３−２１３号公報）、型内にセットした筒状のガラス素材の内部に空気を吹き込んで成形したり（特公平２−１７４９２号公報）して、花瓶等の実用品や装飾品、置き物、酒瓶等を得ようとするものであった。
【０００３】
【発明が解決しようとする課題】しかしながらいずれの発明も、元々の瓶口のサイズや形状に制約を受けてしまうため、好みのデザインを施すことができないという欠点があり、また元のガラス瓶等の長さよりも短い寸法の花瓶等の実用品や装飾品、置き物等を得ることができなかった。
【０００４】そのため、ガラス瓶等を切断して利用することも考えられるが、その切断端面が非常に鋭利であり、あまりにも危険過ぎるために、ガラス瓶を切断して利用することは、ほとんど試みられることはなかった。
【０００５】本発明者等は、先に特願平１０−２５１３８６号（特開２０００−８６２６０参照）を出願し、これにおいてあえてガラス瓶を切断して利用することを試みたところ、種々の形状に加工するために加熱したとき、切断端面も軟化して自然に丸みを帯びた状態となり、上記鋭利さが完全に解消することを見いだしたことを提示している。
【０００６】しかしながら上記発明では、花瓶等の実用品や装飾品、置き物等の用途に使用する場合に、デザインの単調さを解消することができず、製品の付加価値を高め、より高級感のあるガラス製装飾品を得るためには今一歩、進んだアイデアが望まれていた。
【０００７】
【課題を解決するための手段】そこでこの発明の筒状のガラス素材を用いたガラス製装飾品は、筒状のガラス素材に開口部を形成し、さらにその開口部から所定の長さのスリットを複数形成して複数の短冊片を形成した上、当該筒状のガラス素材を加熱して軟化させ、かつ上記短冊片の端部を融着させて連結することによりスリット部分を複数の窓とし、筒状のガラス素材の開口部のみならずこの窓をも生花等を生けるために使用できるようにしたことを特徴とするものである。
【０００８】この発明の筒状のガラス素材を用いたガラス製装飾品は、上記筒状のガラス素材の短冊片の端部の融着部分が、筒状のガラス素材を吊り下げた状態で加熱して軟化させることにより、筒状のガラス素材のスリット間の短冊片が自重で垂下した際、短冊片の先端を結束してその端部を連結したものであることをも特徴としている。
【０００９】この発明の筒状のガラス素材を用いたガラス製装飾品は、上記筒状のガラス素材の短冊片の端部の融着部分が、筒状のガラス素材を吊り下げた状態で加熱して軟化させることにより、筒状のガラス素材のスリット間の短冊片が自重で垂下した際、短冊片の先端を結束してその端部を連結し、かつ再度加熱軟化させたものであることをも特徴とするものである。
【００１０】この発明の筒状のガラス素材を用いたガラス製装飾品は、上記筒状のガラス素材の短冊片が自重で垂下した際に細径化して、スリット部分を広げるように機能させるものであることをも特徴とするものである。
【００１１】この発明の筒状のガラス素材を用いたガラス製装飾品は以上のように筒状のガラス素材に開口部を形成し、さらにその開口部から所定の長さのスリットを複数形成して複数の短冊片を形成した上、当該筒状のガラス素材を加熱して軟化させ、かつ上記短冊片の端部を融着させて連結することによりスリット部分を複数の窓とし、筒状のガラス素材の開口部のみならずこの窓をも生花等を生けるために使用できるように構成したものであり、デザイン上、非常にバリエーションに富んだ花瓶等の実用品や装飾品、置き物等を得ることができるようになった。
【００１２】またこの発明の筒状のガラス素材を用いたガラス製装飾品によれば、元々の瓶口のサイズや形状に制約を受けることがないので、好みのデザインを施すことができ、また元のガラス瓶等の長さよりも短い寸法のバリエーションに富んだ花瓶等の実用品や装飾品、置き物等を得ることができるようになった。
【００１３】さらにこの発明によれば、適宜の形状に加工するために加熱したとき、切断端面やスリット部分も軟化して自然に丸みを帯びた状態となり、上記鋭利さが完全に解消して安全性に問題がなく、しかもスリット部分が適宜形状の窓となってより高級なデザインを提供可能な筒状のガラス素材を用いたガラス製装飾品を提供することができるようになった。
【００１４】
【発明の実施の形態】以下、この発明の筒状のガラス素材を用いたガラス製装飾品の実施の形態を、図面に基づいて詳細に説明する。
【００１５】図１はこの発明の筒状のガラス素材を用いたガラス製装飾品の一実施例を示す斜視図、図２は加熱加工前の状態を示す斜視図、図３は筒状のガラス素材を用いたガラス製装飾品の他の実施例を示す斜視図、図４はさらに別の実施例を示す斜視図である。
【００１６】図１および図２において３１は筒状のガラス素材を用いたガラス製装飾品であり、筒状のガラス素材としてはガラス瓶や中空のガラス素材等を使用することができる。この筒状のガラス素材の胴部３２の中央を適宜切断するとともに、筒状のガラス素材の開口部３３から複数のスリット３４を設け、その間に複数の短冊片３５を形成してある。そして、例えばこの短冊片３５を下向きになるよう加熱炉内に吊り下げ、短冊片３５部位を加熱して軟化させて引き延ばし、ややらせん状に曲げた上で、その下端を耐熱性の手袋や治具（図示せず）等を用いて短冊片３５を結束し、リング状に連結することができる。もちろん、この連結部分を再度加熱して滑らかな融着状態を得るようにしてもよい。
【００１７】すなわち、各短冊片３５間のスリット３４を窓とし、上端の開口部３３のみならずスリット３４からも生花等を挿すことにより、得た筒状のガラス素材を用いたガラス製装飾品を、自立するスタンド型として花瓶等の用途に使用できるようにしたものである。この実施例のガラス製装飾品においては、各短冊片３５は外側に膨らむよう加工されており、より趣きのあるデザインとすることができるようになっている。
【００１８】なお上記筒状のガラス素材の胴部３２の切断は、ダイヤモンドカッタ等で筒状のガラス素材に切れ目を形成し、その上で筒状のガラス素材に軽い衝撃を与えれば、簡単に切断され、分離される。また開口部３３から切込むスリット３４もダイヤモンドカッタ等で形成すればよい。その際に形成された各切断端面は、筒状のガラス素材の加熱による成形時に、例えばその胴部３２を加熱して軟化させる際に同時に加熱されて軟化し、鋭角部分を解消されるのでその危険性が除去される。すなわち、上記切断端面は加熱して軟化した時に、ガラス素材の持つ表面張力によって丸みを帯びた形状に変形し、鋭角部分が解消されるのである。
【００１９】上記筒状のガラス素材を用いたガラス製装飾品３１の底部には、ガラス瓶等の筒状の胴部３２の端部を閉鎖している底部をそのまま利用してよい。なお、瓶口側を底部として利用する場合は、台３６を融着させて底部とすることができる。そして得た筒状のガラス素材を用いたガラス製装飾品を、自立するスタンド型として花瓶等の用途に使用できるようにしたものである。
【００２０】図３はこの発明の筒状のガラス素材を用いたガラス製装飾品３１の他の実施例を示すもので、筒状のガラス素材の胴部３２の中央を適宜切断するとともに、筒状のガラス素材の胴部３２に複数のスリット３４を設け、その間に複数の短冊片３５を形成してある。なお短冊片３５の端部は連結されたままである。この短冊片３５が下向きになるよう加熱炉内に吊り下げ、短冊片３５部位を加熱して軟化させて引き延ばしたものである。
【００２１】図４はこの発明の筒状のガラス素材を用いたガラス製装飾品３１の他の実施例を示すもので、筒状のガラス素材の胴部３２の中央を波形に切断するとともに、筒状のガラス素材の開口部３３から複数のスリット３４を設け、その間に複数の短冊片３５を形成してある。この短冊片３５が下向きになるよう加熱炉内に吊り下げ、短冊片３５部位を加熱して軟化させて引き延ばし、その下端を気流等を用いて中央に収束させて短冊片３５を結束し、リング状に連結したものである。この実施例の製品も、筒状のガラス素材を用いたガラス製装飾品をスタンド型として花瓶等の用途に使用できるようにしたものである。
【００２２】上記各実施例において説明したスタンド型の花瓶は、上部の開口部３３のみならずスリット３４からも生花等を挿すことができ、挿した生花等は従来の剣山等に挿した場合に比べて痛むことがなく、またスリット３４に確実に保持されるので簡単に倒れることもない。
【００２３】以上の筒状のガラス素材を用いたガラス製装飾品３１の加熱、軟化等の加工に際しては、特願平１０−２５１３８６号（特開２０００−８６２６０参照）に示した加熱炉を利用することができる。
【００２４】上記実施例では花瓶を例に挙げて説明したが、それ以外にも一輪挿しや風鈴として、あるいはキャンドル用の容器、その他の種々の用途に使用することができるのはいうまでもない。
【００２５】
【発明の効果】この発明の筒状のガラス素材を用いたガラス製装飾品は以上のように構成したものであり、使用済みの筒状のガラス素材を開口部および複数のスリットを有するように加熱して変形させることにより、デザイン上、非常にバリエーションに富んだ花瓶等の実用品や装飾品、置き物等を得ることができるようになった。
【００２６】またこの発明の筒状のガラス素材を用いたガラス製装飾品によれば、元々の瓶口のサイズや形状に制約を受けることがないので、好みのデザインを施すことができ、またバリエーションに富んだデザインを有する花瓶等の実用品や装飾品、置き物等を得ることができるようになった。
【００２７】さらにこの発明によれば、種々の形状に加工するために加熱したとき、切断端面も軟化して自然に丸みを帯びた状態となり、上記鋭利さが完全に解消して安全性に問題のない筒状のガラス素材を用いたガラス製装飾品を提供することができるようになった。
【図面の簡単な説明】
【図１】この発明の筒状のガラス素材を用いたガラス製装飾品の一実施例を示す斜視図である。
【図２】加熱加工前の状態を示す斜視図である。
【図３】筒状のガラス素材を用いたガラス製装飾品の他の実施例を示す斜視図である。
【図４】さらに別の実施例を示す斜視図である。
【符号の説明】
３１　筒状のガラス素材を用いたガラス製装飾品
３２　胴部
３３　開口部
３４　スリット
３５　短冊片
３６　台
【図１】
2004083331.tif 000003
【図２】
2004083331.tif 000004
【図３】
2004083331.tif 000005
【図４】
2004083331.tif 000006